(57)【特許請求の範囲】
【請求項１】
左右の側板と、ヘッドボードと、フットボードと、底板とにより収納部が形成される収納型ベッドであって、下方の収納部の蓋としての機能および寝床面を形成する機能を兼ね備えた天板部が、頭側天板と中間部天板と足側天板とから構成され、
前記頭側天板と中間部天板とが互いに回動自在に収納型ベッドの長手方向に連結され、前記中間部天板と足側天板とが互いに回動自在に収納型ベッドの長手方向に連結され、
前記左右の側板間に渡され、前記頭側天板の長手方向中間部において該頭側天板を揺動自在に支持する回転軸が設けられ、
前記頭側天板を回動させたときに、該頭側天板の頭側端部が上昇すると共に足側端部が下降して該頭側天板と中間部天板との連結部が谷状に変形することを特徴とする収納型ベッド。
【請求項２】
請求項１に記載の収納型ベッドにおいて、
前記中間部天板を収納型ベッド長手方向にスライド自在かつ傾斜自在に支持する中間部天板支持部材が設けられ、
前記足側天板を収納型ベッド長手方向にスライド自在に支持する足側天板支持部材が設けられ、
前記頭側天板を回動させて該頭側天板の足側端部を下降させたときに、前記中間部天板が頭側にスライドしつつ該中間部天板の頭側端部が下降して前記頭側天板との連結部が谷状に変形し、かつ、該中間部天板の足側端部が上昇して前記足側端部との連結部が山状に変形することを特徴とする収納型ベッド。
【請求項３】
請求項１または２に記載の収納型ベッドにおいて、
前記頭側天板の傾斜角度を保持するストッパ機構が設けられていることを特徴とする収納型ベッド。
【請求項４】
請求項３に記載の収納型ベッドにおいて、
前記ストッパ機構は、一端が前記頭側天板と中間部天板との連結部近傍に設けられ、他端が前記収納型ベッドに固定されるとともに、該一端及び他端との間を伸縮自在に連結する伸縮部材を備えていることを特徴とする収納型ベッド。
【請求項５】
請求項１から４に記載の収納型ベッドにおいて、
前記頭側天板は、その足側端部にて前記中間部天板に連結された胴体支持部材と、該胴体支持部材の頭側端部に回動自在に連結され、その頭側端部を起伏可能とされた頭部支持部材とを備えていることを特徴とする収納型ベッド。
【請求項６】
請求項１から５のいずれかに記載の収納型ベッドにおいて、
前記天板部上に敷きふとんを備え、該敷きふとんの頭側端部が、前記天板部の頭側天板に固定されていることを特徴とする収納型ベッド。
【発明の詳細な説明】
【０００１】
【発明の属する技術分野】
本発明は天板が開閉自在に構成された収納型ベッドに関する。
【０００２】
【従来の技術】
従来の収納型ベッドの一例としては、図７に示すように、上面が開口した３つの箱状のベッド本体１を一列に並べ、最前方のベッド本体１の前面にヘッドボード２を取り付けるとともに、最後方のベッド本体１の後面にフットボード３を取り付け、さらに、各ベッド本体１に固定された開閉金具４に天板５をそれぞれ取り付けて構成されたものがある。このような収納型ベッドでは、天板５が開閉自在に構成されており、就寝の際には、各天板５を閉じて各ベッド本体１内の空間を閉塞状態とし、水平状態の各天板５上に敷きふとんを敷き、この上に就寝する。一方、各ベッド本体１内に物品（ふとんや小物等）を収納したり物品を取り出す際には、各天板５を開閉することにより、ベッド本体１内の空間を開放する。
【０００３】
【発明が解決しようとする課題】
このように従来の収納型ベッドでは天板が開閉するものの、ベッド上で就寝する人の姿勢を変化させることのできるリクライニング機能を備えているものはなかった。
また、従来の収納型ベッドでは、ふとんを敷いた状態では敷いたふとんが障害となって天板５を開閉することができない。したがって、ベッド本体１内に物品を収納する場合またはベッド本体１内から物品を取り出す際には、ふとんをベッドからおろすか、ベッド上で畳んで片側に寄せる必要があるという問題があった。
【０００４】
本発明は、上記従来技術が有する問題点に鑑みてなされたものであり、リクライニング状態とすることが可能な収納型ベッドを提供することを目的とする。また、本発明は、敷きふとんを敷いた状態でも物品の収納、取出しが容易である収納型ベッドを提供することを目的とする。
【０００５】
【課題を解決するための手段】
請求項１に記載の収納型ベッドは、左右の側板と、ヘッドボードと、フットボードと、底板とにより収納部が形成される収納型ベッドであって、下方の収納部の蓋としての機能および寝床面を形成する機能を兼ね備えた天板部が、頭側天板と中間部天板と足側天板とから構成され、前記頭側天板と中間部天板とが互いに回動自在に収納型ベッドの長手方向に連結され、前記中間部天板と足側天板とが互いに回動自在に収納型ベッドの長手方向に連結され、前記左右の側板間に渡され、前記頭側天板の長手方向中間部において該頭側天板を揺動自在に支持する回転軸が設けられ、前記頭側天板を回動させたときに、該頭側天板の頭側端部が上昇すると共に足側端部が下降して該頭側天板と中間部天板との連結部が谷状に変形することを特徴とする。
【０００６】
この収納型ベッドにおいては、頭側天板を回動させて中間部天板との連結部を谷状に変形させることで、天板部をリクライニング状態にすることができる。
また、頭側天板の頭側端部および足側天板の足側端部をそれぞれ上方に回動させることにより、下方の収納部を開放することができる。
【０００７】
請求項２に記載の収納型ベッドは、請求項１に記載の収納型ベッドにおいて、前記中間部天板を収納型ベッド長手方向にスライド自在かつ傾斜自在に支持する中間部天板支持部材が設けられ、前記足側天板を収納型ベッド長手方向にスライド自在に支持する足側天板支持部材が設けられ、前記頭側天板を回動させて該頭側天板の足側端部を下降させたときに、前記中間部天板が頭側にスライドしつつ該中間部天板の頭側端部が下降して前記頭側天板との連結部が谷状に変形し、かつ、該中間部天板の足側端部が上昇して前記足側端部との連結部が山状に変形することを特徴とする。
【０００８】
この収納型ベッドにおいては、頭側天板と中間部天板との連結部が谷状となるので、横臥する者の臀部を安定に支持することができる。また、中間部天板と足側天板との連結部が山状となるので、脚を屈折させた状態で安定に支持し、快適な姿勢に保つことができる。
【０００９】
請求項３に記載の収納型ベッドは、請求項１または２に記載の収納型ベッドにおいて、前記頭側天板の傾斜角度を保持するストッパ機構が設けられていることを特徴とする。
【００１０】
この収納型ベッドにおいては、頭側天板の傾斜角度と共に、頭側天板に連結されている中間部天板、足側天板の状態も保持されるので、各天板をリクライニング状態に保持することができる。
【００１１】
請求項４に記載の収納型ベッドは、請求項３に記載の収納型ベッドにおいて、前記ストッパ機構は、一端が前記頭側天板と中間部天板との連結部近傍に設けられ、他端が前記収納型ベッドに固定されるとともに、該一端及び他端との間を伸縮自在に連結する伸縮部材が設けられていることを特徴とする。
【００１２】
この収納型ベッドにおいては、伸縮部材によって前記一端と他端との間を接近させることにより、頭側天板と中間部天板との連結部を谷状にして各天板をリクライニング状態にする。また、前記一端と他端との間を離間させることで、リクライニング状態を解除する。
【００１３】
請求項５に記載の収納型ベッドは、請求項１から４に記載の収納型ベッドにおいて、前記頭側天板は、その足側端部にて前記中間部天板に連結された胴体支持部材と、該胴体支持部材の頭側端部に回動自在に連結され、その頭側端部を起伏可能とされた頭部支持部材とを備えていることを特徴とする。
【００１４】
この収納型ベッドにおいては、頭部支持部材を胴体支持部材に対して上昇させることで、枕のように横臥する者の頭部を支持することができる。
【００１５】
請求項６に記載の収納型ベッドは、請求項１から５のいずれかに記載の収納型ベッドにおいて、前記天板部上に敷きふとんを備え、該敷きふとんの頭側端部が、前記天板部の頭側天板に固定されていることを特徴とする。
【００１６】
この収納型ベッドにおいては、天板部をリクライニング状態としたときでも敷きふとんの頭側端部が天板部の頭側天板に固定されているため、敷きふとんが天板上でずれることが防止される。
【００１７】
【発明の実施の形態】
次に、本発明の一実施形態について図面を参照して説明する。
図１は本実施形態に係る収納型ベッドの斜視図であり、リクライニング状態としたものである。図２は同収納型ベッドの断側面図である。
【００１８】
この収納型ベッド１０の主な構成要素は、蝶番１１により折り畳み自在となった一対の側板１２，１３と、それぞれ広げられて互いに平行に配置された前記一対の側板１２，１３の両端に着脱自在に取り付けられるヘッドボード１４及びフットボード１５と、一対の側板１２，１３と前記ヘッドボード１４及びフットボード１５により囲まれた収納空間（収納部）Ａの底部となる互いに分離した複数枚（本例では３枚）の底板材１６ａ、１６ｂ、１６ｃからなる底板１６と、収納空間Ａの蓋としての機能及び寝床面を形成する天板１９（頭側天板），２０（中間部天板），２１（足側天板）である。これら各天板１９，２０，２１により天板部Ｂが形成されている。
【００１９】
ここで、各部の詳細構造について説明する。前記側板１２，１３は、互いに左右対称で同一構造のものであるので、一方の側板１３を図２を用いて説明し、側板１２の説明は省略する。
側板１３は、ほぼ同じ大きさの側板部材１３ａ、１３ｂが内面において２個の蝶番１１により連結されたことにより、長さ方向における中間部が折り畳み自在となったものである。板部材１３ａ、１３ｂの端部に互いに対向して台座部３１ａ、３１ｂが固着されており、この台座部３１ａ、３１ｂを付き合わせた状態で、前記蝶番１１が台座部３１ａ、３１ｂを跨いで該台座部３１ａ、３１ｂに螺着されている。台座部３１ａ、３１ｂは、側板１２，１３を開く際に、側板１２，１３が一直線上に沿った状態となるようその開度を制限する。
【００２０】
台座部３１ａ、３１ｂの下方には補強桟３２が着脱自在に設けられている。なお後述するように、補強桟３２の下方には底板１６を挿入することができるように、補強桟３２が側板１３下端よりも上方に設けられている。
【００２１】
側板１３の前端には図３に示すようにねじ孔３３を備えたＬ字金具２２Ａが上下に２つ設けられており、これに対応して、ヘッドボード１４の端部にはねじ穴３５Ａが形成されている。側板１２の後端にも同様にＬ字金具２２Ｂが２つ設けられており、フットボード１５にはこれに対応してねじ穴（不図示）が設けられている。
【００２２】
図１，２に示すように、一対の側板１２，１３、ヘッドボード１４及びフットボード１５により囲まれた空間は、後述するように物品（例えばふとん、衣類、玩具等の小物）を収納するための収納空間Ａとなっている。この収納空間Ａの底部には底板１６（すのこ板）が敷かれており、この底板１６は３枚の底板材１６ａ、１６ｂ、１６ｃがベッド１０の長さ方向に配列されたものである。
【００２３】
さて、各側板１２、１３間には、ベッドの幅方向に４つの桟３９，４０，４１，４２が渡されている。桟３９、４０，４２は、収納空間Ａの上部においてその高さを等しく設けられ、桟３９、４０は頭側天板１９を支持し、桟（足側天板支持部材）４２は足側天板２１の足側端部近傍を支持している。桟４１の上部にはローラ（中間部天板支持部材）４４が取り付けられており、ローラ４４により中間部天板２０がその中間部において支持されている。ローラ４４は円柱状であり、支持する中間部天板２０をベッドの長手方向にスライド自在、かつ、傾斜自在に支持することができるようになっている。なお、ローラ４４に作用する荷重は、桟４１により支持されるようになっている。
【００２４】
頭側天板１９は頭部支持部材１９ａと胴体支持部材１９ｂとを備え、互いに回転軸１９ｃを回動中心に連結されている。回転軸１９ｃは、頭部支持部材１９ａを胴体支持部材１９ｂに対して一方側に持ち上げて複数段階の傾斜角度に回動させるとともに、他方側への回動を禁止することにより、頭部支持部材１９ａを任意の角度で保持するラチェット機構（不図示）を搭載している。なお、頭側支持部材１９ａを大きく回動させると、前記他方側への回動禁止が解除されて元に戻すことができるようになっている。
また、胴体支持部材１９ｂには幅方向に沿って回転軸４３が固着されている。この回転軸４３は側板１２，１３間に回転自在に支持され、頭側天板１９の長手方向中間部において、頭側天板１９を揺動自在に支持している。
【００２５】
頭側天板１９の足側端部１９ｄと、中間部天板２０の頭側端部２０ａとは、連結部４５において互いに回動自在に連結されており、中間部天板２０の足側端部２０ｂと足側天板２１の頭側端部２１ａとは、連結部４６において互いに回動自在に連結されている。
中間部天板２０はローラ４４により支持されてベッド長手方向にスライド自在とされているほか、ローラ４４を支点として頭側端部２０ａが下降したときに足側端部２０ｂが上昇するようになっている。
なお、上記桟３９、４０、ローラ４４、桟４２は各天板１９，２０，２１とは別体となっている。天板部Ｂは、回転軸４３においてのみ側板１２，１３側に連結されている。また、各天板１９，２０，２１の幅は、側板１２，１３間の幅より小さく構成されており、天板１９と２０との連結部４５が谷状に変形して収納空間Ａに沈み込むことができるようになっている。
【００２６】
図６に、本例の収納型ベッド１０の寸法一例を示した。図示のように、頭部支持部材１９ａ、胴体支持部材１９ｂ、中間部天板２０はそれぞれ４５０ｍｍ、足側天板２１は６２０ｍｍとなっている。回転軸４３およびローラ４４の連結部４５からの位置は、それぞれ２１０ｍｍ、２７０ｍｍとなっている。
【００２７】
収納空間Ａ内には頭側天板１９の傾斜角度を保持するダンパ（ストッパ機構）４８が設けられている。
ダンパ４８は、一端を連結部４５近傍の胴体支持部材１９ｂ（頭側天板１９の足側端部１９ｄ）に固定されたブラケット４９ａに取り付けられ、他端を桟４１に固定されたブラケット４９ｂに取り付けられている。これら両端の間にはダンパ機構部（伸縮部材）４８ａが設けられており両端間の距離を伸縮自在としている。ブラケット４９ａは、図２に示すように頭側天板１９の足側端部１９ｄから垂直に下方に延びて設けられ、その先端にダンパ４８の前記一端が回転自在に取り付けられている。
ダンパ４８を伸張させると、ブラケット４９ａには頭側（図２上左側）に伸張力が伝達される。ブラケット４９ａに伝達した伸張力により、頭側天板１９は回転軸４３を中心に回動するようになっている。ダンパ４８を収縮させると、頭側天板部１９は逆方向に回動する。
【００２８】
図４に示すように、各天板１９、２０、２１上には敷きふとん５０が載せられている。図４，図５に示すように、敷きふとん５０の裏面側（天板側）の頭側端部５０ａには、頭側天板１９の幅より若干広く、その足側端部側５１ａが開口されると共に他の三方を縫着されて袋状とされた係止布５１が設けられている。この係止布５１の内部に頭側天板１９の頭側端部を挿入することにより、敷きふとん５０の頭側端部が頭側天板１９に固定されている。
【００２９】
以上の収納型ベッドにおいて、就寝する際には各天板１９，２０，２１を水平にし、その上に横臥する。
リクライニング状態とするには、まず、横臥する者の手元等に配した不図示の操作部によりダンパ機構部４８ａを操作し、ブラケット４９ａに対して頭側方向の伸張力を作用する。
これにより、頭側天板１９が回転軸４３を中心として回動して連結部４５が下降し、頭側天板１９と中間部天板２０とが谷状に変形する。このとき、中間部天板２０は連結部４５の下降とともに頭側方向にスライドし、ローラ４４を支点として足側端部２０ｂが上昇する。ローラ４４により、中間部天板２０のスライドがスムーズに行われる。
中間部天板２０の移動と共に、足側天板２１も桟４２上を頭側にスライドすると共に、中間部天板２０の足側端部２０ｂの上昇に伴い、連結部４６が山状に変形する。
また、頭側天板１９の頭部支持部材１９ａを手で操作して胴体支持部材１９ｂから持ち上げ、好みの角度にする。このようにして、図１または図４に示すようなリクライニング状態とする。
そして、各天板１９，２０，２１上に横臥し、頭部を頭部支持部材１９ａにて支持し、谷状の連結部４５に臀部をのせ、山状の連結部４６にて脚を支持する。
リクライニング状態から水平状態に戻すには、操作部を操作してダンパ機構部４８ａを短縮させる。
【００３０】
収納空間Ａを使用するには、図６の２点鎖線で示すように足側天板２１を連結部４６にて回動させてその足側端部２１ｂを上方に大きく持ち上げ、収納空間Ａを開放させる。足側天板２１のみならず、中間部天板２０を回動させてもよい。同様に、頭側天板１９の頭部支持部材１９ａを胴体支持部材１９ｂに対して上方に回動して収納空間Ａへの収納、取出しを行ってもよい。さらには、頭側天板１９を回転軸４３を中心に上方に回動させてもよい。
【００３１】
このように、本例の収納型ベッドにおいては、ダンパ４８を作動させることにより、天板１９，２０，２１をリクライニング状態とすることができる。連結部４５は谷状に変形するので、臀部を安定して支持することができ、連結部４６は山状に変形するので、脚を安定して支持することができる。
また、頭部支持部材１９ａが回動することにより、頭部を安定に支持することができる。
敷きふとん５０の頭側端部５０ａが頭側天板１９に固定されているので、天板１９，２０，２１をリクライニング状態としたときでも敷きふとん５０が足側方向にずれない。
さらにまた、頭側天板１９の頭側端部１９ａおよび足側天板２１の足側端部２１ｂを持ち上げることにより、収納空間Ａに対して荷物の収納、取出しを行うことができる。このとき、天板１９，２０，２１上にふとんを敷いた状態でも天板１９，２１を開閉して収納空間Ａを開放することができる。
【００３２】
なお、頭部支持部材１９ａを回動させるためにダンパ等の駆動手段を設けてもよい。
また、足側天板２１を連結部４６を中心として上方に回動させたときに、足側天板２１を任意の角度で保持するためにラチェット等のストッパ機構を設けてもよい。これにより、収納空間Ａに物品を収納する場合に足側天板２１の角度を固定しておくことができる。
ダンパ４８により頭側天板１９を回動することとしたが、自重によりリクライニング状態としてもよい。例えば、横臥した者が臀部に体重をかけて連結部４５を下降させることにより、連結部４５を谷状に変形させてリクライニング状態とする。戻す場合には腰を浮かせて上半身に体重をかけ、連結部４５を上昇させる。リクライニングの角度は、頭側天板１９の傾斜角を保持するロック機構を設けて固定する。
【００３３】
【発明の効果】
以上のように、本発明の収納型ベッドにおいては、頭側天板を揺動させて頭側天板と中間部天板との連結部を谷状に変形させることで、天板部をリクライニング状態にすることができる。
また、中間部天板と足側天板との連結部を山状に変形させることにより、脚を屈折させた快適な姿勢で支持することができる。
傾斜角度はストッパ機構により保持されるので、天板部をリクライニング状態のまま保持することができる。具体的には、ストッパ機構の伸縮部材により頭側天板と中間部天板との連結部と固定側とを接近離間させることにより、リクライニング状態およびその解除を行うことができる。
また、頭部支持部材を胴体支持部材に対して持ち上げることで、枕のように頭部を支持することができる。
さらに、天板部上に設けられた敷きふとんの頭側端部が頭側天板に固定されているので、リクライニング状態としたときに敷きふとんが天板上でずれることが防止される。
【図面の簡単な説明】
【図１】  本発明の一実施形態として示した収納型ベッドの斜視図であり、天板部をリクライニング状態としたものである。
【図２】  同収納型ベッドの側断面図である。
【図３】  側板とヘッドボードとの取り付け状態を示す斜視図である。
【図４】  同収納型ベッドの側断面図であり、リクライニング状態としたものである。
【図５】  同収納型ベッドに用いられる敷きふとんの斜視図である。
【図６】  同収納型ベッドの収納空間を開放した状態を示す側断面図である。
【図７】  従来の収納型ベッドの斜視図である。
【符号の説明】
１２，１３  側板
１４  ヘッドボード
１５  フットボード
１６  底板
Ａ  収納空間（収納部）
Ｂ  天板部
１９  頭側天板
１９ａ  頭部支持部材
１９ｂ  胴体支持部材
２０  中間部天板
２１  足側天板
４３  回転軸
４４  ローラ（中間部天板支持部材）
４２  桟（足側天板支持部材）
４８  ダンパ（ストッパ機構）
４８ａ  ダンパ機構部（伸縮部材）
５０  敷きふとん
【図１】
0004464509.tif 000002
【図２】
0004464509.tif 000003
【図３】
0004464509.tif 000004
【図４】
0004464509.tif 000005
【図５】
0004464509.tif 000006
【図６】
0004464509.tif 000007
【図７】
0004464509.tif 000008